(57)【特許請求の範囲】
【請求項１】
第一バルブ経路がシールされている第一位置と第一バルブ経路が開口している第二位置との間を第一軸に沿って移動可能な第一バルブ；
前記第一バルブを包囲する第一ハウジング；
前記第一バルブにスライド可能に接続され、第二バルブ経路がシールされている第三位置と第二バルブ経路が開口している第四位置との間を第二軸に沿って移動可能な第二バルブ；及び、
前記第二バルブを包囲する第二ハウジング；を備え、
前記第一軸は前記第二軸に対して横向きであり、前記第一バルブ経路と前記第二バルブ経路はレシーバ経路を規定しており、前記第二位置への第一バルブの動きが前記第四位置への第二バルブの動きを生じさせることによって、前記レシーバ経路を通じて流体を流れさせる、装置。
【請求項２】
さらに、前記第一バルブに接続された第一バルブバイアス部材；及び、
前記第二バルブに接続された第二バルブバイアス部材を含む、請求項１に記載の装置。
【請求項３】
前記第一バルブバイアス部材がさらに前記第一ハウジングに接続され；
前記第二バルブバイアス部材がさらに前記第二ハウジングに接続される、請求項２に記載の装置。
【請求項４】
前記第一バイアス部材及び前記第二バイアス部材のうち少なくとも１つがばねである、請求項２に記載の装置。
【請求項５】
さらに、前記第一バルブと接している第一バルブシーリング部材；及び
前記第二バルブと接している第二シーリング部材；
を含む、請求項１に記載の装置。
【請求項６】
前記第一シーリング部材及び前記第二シーリング部材のうち少なくとも１つがＯ−リングである、請求項５に記載の装置。
【請求項７】
第一バルブ経路がシールされている第一位置と第一バルブ経路が開口している第二位置との間を第一軸に沿って移動可能な第一バルブ；
前記第一バルブを包囲する第一ハウジング；
前記第一ハウジングに包囲され、第三位置と第四位置との間を移動可能なプランジャー部材；
前記プランジャー部材にスライド可能に接続され、第二バルブ経路がシールされている第五位置と第二バルブ経路が開口している第六位置との間を第二軸に沿って移動可能な第二バルブ；及び
前記第二バルブを包囲する第二ハウジング；
を備え、
前記第一軸は前記第二軸に対して横向きであり、前記第一バルブ経路と前記第二バルブ経路はレシーバ経路を規定しており、前記第二位置への第一バルブの動きが前記第六位置への第二バルブの動きを生じさせることによって、前記レシーバ経路を通じて流体を流れさせる装置。
【請求項８】
さらに、前記第一バルブに接続された第一バルブバイアス部材；
前記第二バルブに接続された第二バルブバイアス部材；及び
前記プランジャー部材に接続されたプランジャーバイアス部材を備える、請求項７に記載の装置。
【請求項９】
前記第一バイアス部材がさらに前記第一ハウジングに接続され；
前記第二バイアス部材がさらに前記第二ハウジングに接続される、請求項８に記載の装置。
【請求項１０】
前記第一バイアス部材、前記第二バイアス部材及び前記第三バイアス部材のうち少なくとも１つがばねである、請求項８に記載の装置。
【請求項１１】
さらに、
前記第一バルブと接している第一シーリング部材；
前記第二バルブと接している第二シーリング部材
を含む、請求項７に記載の装置。
【請求項１２】
前記第一シーリング部材及び前記第二シーリング部材のうち少なくとも１つがＯ−リングである、請求項１１に記載の装置。
【請求項１３】
さらに、前記第一ハウジングと前記第二ハウジングとを接続するハウジング接続部材を有する、請求項７に記載の装置。
【請求項１４】
前記プランジャー部材に賦活部材が接続されている、請求項７に記載の装置。
【請求項１５】
前記賦活部材が、前記第一ハウジングと前記第二ハウジングとの間に位置している、請求項１３に記載の装置。
【請求項１６】
液体を収容したタンク；及び
前記タンクに接続された装置；を含むシステムであって、
前記装置は、
第一バルブ経路がシールされている第一位置と第一バルブ経路が開口している第二位置との間を第一軸に沿って移動可能な第一バルブ；
前記第一バルブを包囲する第一ハウジング；
前記第一バルブにスライド可能に接続され、第二バルブ経路がシールされている第三位置と第二バルブ経路が開口している第四位置との間を第二軸に沿って移動可能な第二バルブ；及び
前記第二バルブを包囲する第二ハウジング；を備え、
前記第一軸は前記第二軸に対して横向きであり、前記第一バルブ経路と前記第二バルブ経路はレシーバ経路を規定しており、前記第二位置への第一バルブの動きが前記第四位置への第二バルブの動きを生じさせることによって、前記レシーバ経路を通じて流体を流れさせる、システム。
【請求項１７】
前記装置がさらに、
前記第一バルブに接続された第一バルブバイアス部材；及び
前記第二バルブに接続された第二バルブバイアス部材
を備える、請求項１６に記載のシステム。
【請求項１８】
前記装置がさらに、
前記第一バルブと接している第一バルブシーリング部材；及び
前記第二バルブと接している第二バルブシーリング部材
を備える、請求項１６に記載のシステム。
【請求項１９】
さらに前記装置に接続された機器を備える、請求項１６に記載のシステム。
【請求項２０】
前記機器が気化器である、請求項１９に記載のシステム。
【請求項２１】
前記第一バルブにカム表面が規定されており、当該カム表面が、前記第一バルブが前記第一位置から前記第二位置へ動くときに前記第二バルブと相互作用することによって、前記第二バルブが第三位置から第四位置へと移動する、
請求項１に記載の装置。
【請求項２２】
前記第一バルブにカム表面が規定されており、当該カム表面が、前記第一バルブが前記第一位置から前記第二位置へ動くときに前記第二バルブと相互作用することによって、前記第二バルブが第三位置から第四位置へと移動する、
請求項１６の記載のシステム。
【請求項２３】
前記第一バルブバイアス部材が前記第一バルブを第一方向に付勢し、前記第二バルブバイアス部材が前記第二バルブを第二方向に付勢し、前記第二方向は前記第一方向に対して直交している、
請求項２に記載の装置。
【請求項２４】
前記第一バルブバイアス部材が前記第一バルブを第一方向に付勢し、前記第二バルブバイアス部材が前記第二バルブを第二方向に付勢し、前記第二方向は前記第一方向に対して直交している、
請求項１７に記載のシステム。
【請求項２５】
前記第一ハウジングが前記第二ハウジングに固定的に連結されているので、前記第一ハウジングと前記第二ハウジングは相対的に動かず、前記第一バルブは前記第一位置と第二位置との間を動き、前記第二バルブは前記第三位置と第四位置との間を動く、請求項１に記載の装置。
【請求項２６】
前記第一ハウジングが前記第二ハウジングに固定的に連結されているので、前記第一ハウジングと前記第二ハウジングは相対的に動かず、前記第一バルブは前記第一位置と第二位置との間を動き、前記第二バルブは前記第三位置と第四位置との間を動く、請求項１６に記載のシステム。
【発明の詳細な説明】
【技術分野】
【０００１】
本出願は、参照によってその全体がここに組み込まれる、２００９年６月１９日に出願された米国仮出願シリアル番号６１／２１８，６９６の３５Ｕ．Ｓ．Ｃ．１１９条（ｅ）に基づく出願日遡及の利益を請求する。
【０００２】
本出願は、一般的に、また、諸々の実施形態において、例えば気化器などの機器に、液体を供給するための装置に関連する発明を開示する。
【背景技術】
【０００３】
液体の麻酔薬は通常、ガラス容器に収容されて、医学又は歯学処置を受ける患者を麻酔するために使用される場所まで搬送される。このような麻酔薬はまた、医学又は歯学処置を受ける患者において、鎮痛作用を導入するためにも使用される。麻酔薬を投与するために、ガラス容器の内容物は気化器に入れられる。気化器は麻酔薬を気化させて、患者に対して所望量の気化した麻酔薬を供与することができる。
【０００４】
吸入可能な麻酔薬は、典型的には、比較的沸点が低く、蒸気圧の高い揮発性の物質である。取り扱い中の麻酔薬の周囲雰囲気への放出は、少ないか又は無いことが好ましい。気化器を収容する容器の開口は、出口ポートを有する閉止機構でカバーされている。しかしながら、液体の麻酔薬を気化器に移すためには、出口ポートが開けられねばならない。処置を行う医療者を麻酔薬に曝すのは賢明でなく、また、麻酔薬は高価であるため、装置は、容器から気化器の周辺環境中への、麻酔薬の放出を最小化するために開発されてきた。しかしながらこれらの装置は、簡単かつ効果的に麻酔薬の放出を最小化できるものではなかった。
【発明の概要】
【０００５】
本出願は、麻酔薬のような液体を、麻酔薬の放出を効果的かつ簡便に最小化しつつ、タンクの出口ポートから機器へと移送する装置及びシステムに関する。一つの形態において、かかる装置及びシステムは、第一位置と第二位置の間を移動可能な第一バルブ；前記第一バルブを包囲する第一ハウジング；前記第一バルブにスライド可能に接続され、第三位置と第四位置との間を移動可能な第二バルブ；及び、前記第二バルブを包囲する第二ハウジング；を含むことができ、前記装置は、第一開口、第二開口、及び、第一開口と第二開口の間にレシーバ通路を規定する。他の形態では、かかる装置は、第一位置と第二位置の間を移動可能な第一バルブ；前記第一バルブを包囲する第一ハウジング；前記第一ハウジングに包囲され、第三位置と第四位置の間を移動可能であるプランジャー部材；前記プランジャー部材にスライド可能に接続され、第五と第六位置の間を移動可能である第二バルブ部材；及び、前記第二バルブを包囲する第二ハウジング；を含むことができ、前記装置は第一開口、第二開口及び、第一及び第二開口の間の経路を規定している。
【図面の簡単な説明】
【０００６】
【図１】図１は、液体流路のシステムの諸々の形態を図示している。
【０００７】
【図２Ａ】図２Ａは、諸々の形態による、閉位置にあるレシーバ装置を図示している。
【０００８】
【図２Ｂ】図２Ｂは、図２Ａの断面図を示している。
【０００９】
【図３Ａ】図３Ａは、諸々の形態による、開位置にあるレシーバ装置を図示している。
【００１０】
【図３Ｂ】図３Ｂは、図３Ａの断面図を示している。
【００１１】
【図４Ａ】図４Ａは、他の形態による、閉位置にあるレシーバ装置を図示している。
【００１２】
【図４Ｂ】図４Ｂは、図４Ａの断面図を示している。
【００１３】
【図５Ａ】図５Ａは、他の形態による、開位置にあるレシーバ装置を図示している。
【００１４】
【図５Ｂ】図５Ｂは、図５Ａの断面図を示している。
【発明を実施するための形態】
【００１５】
添付の図面は本発明の理解を促進するために提供されるものであって、本発明の説明の一部分に引用され、また、本発明の説明の一部を構成する。図面は発明の諸々の形態を図示するもので、説明とともに本発明の原理を説明するものである。
【００１６】
図面は、発明の必須の範囲についていかなる必要な制限をも意味しない。図面は、発明の本質を説明するために非制限の例示として提供されている。
【００１７】
現在の発明のより完全な理解のために、添付の図面と併せて下記の明細書で申し述べる。
【００１８】
本発明を特徴付ける、新規性の諸々の要件は、特に、この明細書の一部であるクレームにおいて指摘されている。発明のさらなる理解のために、発明の好ましい形態を図示し、説明している図面と説明事項が述べられなければならない。
【００１９】
ここで、図面を参照すると、図面を通して同じ数字は同一又は対応する部分を指示するものであるが、図１は、液体の流路の諸々のシステムを示している。特に、図１はタンク１からレシーバ装置２、機器３に至る一般的な液体の流れを示している。タンク１はガラス容器もしくはあらゆる他の、液体、例えば液体麻酔薬を収容することのできる容器でありえる。その開口では、タンク１は出口ポート４（図３Ａ及び３Ｂ参照）はレシーバ装置２に螺合されうる。下記にて説明されるであろうが、レシーバ装置２は、その中を液体が通って機器３に至る、バルブシステムを含みうる。この形態では、機器３は、医療処置を受ける人間に麻酔薬を投薬する気化器である。
【００２０】
図２Ａは、レシーバ装置２の諸々の形態を示しており、レシーバ装置２は閉位置にある。レシーバ装置２はベース５によって支持されている。第一ハウジング６の上部には嵌合カラー７がタンク出口ポート４を受けるためにある。第一ハウジング６と嵌合カラー７は第一バルブ８を包囲しており、その軸９が図２Ａにおいて見えている。
【００２１】
図２Ｂは図２Ａの軸‘Ａ’に関する断面図である。第一バルブ８は第一位置と第二位置との間で移動可能である。第一バルブバイアス部材１０は、例えばばねであり、第一バルブ８と第一ハウジング６とを接続し、第一および第二位置の間の動きを付勢しうる。第一位置と第二位置の間での第一バルブ８の動きは、第一ハウジング６と第一バルブ８のガイドピン孔１２に接続されたガイドピン１１によってガイドされうる。嵌合カラー７はタンク出口ポート４を受容するための螺子溝１３を規定している。シーリング部材１４は、例えばＯ−リングであり、嵌合カラー７と第一ハウジング６との間の封止を提供する。第一バルブシーリング部材１５は、例えばＯ−リングであり、第一バルブ８と接して、レシーバ装置２の第一開口１６に侵入する液体の流れを阻止することができる。第一バルブ８はさらに、第二バルブ１９の軸１８に隣接する第一バルブカム表面１７を含んでいる。
【００２２】
図２Ｂはさらに、第一ハウジング６と第二ハウジング２０とを接続しうる接続部材であるハウジング接続部材３０を示している。ハウジング接続部材３０と第二ハウジング２０は、第二バルブ１９を包囲できる。第二バルブ１９は第一位置と第二位置との間を移動可能である。第二バルブバイアス部材２１は、例えばばねであり、第二バルブ１９と第二ハウジング２０に接続し、第一位置と第二位置の間のバルブ１９の動きを付勢することができる。第一位置と第二位置との間での第二バルブ１９の動きは、第一バルブ８に関して説明された、ガイドピン１１とガイドピン孔１２の配置と同様の方法でガイドされうる。第二バルブシーリング部材２２は、例えばＯ−リングであり、第二バルブ１９と接し、レシーバ装置２中の液体がレシーバ装置２の第二開口２３から流出することを防止している。
【００２３】
図３Ａはレシーバ装置２の諸々の形態を示しており、レシーバ装置２はタンク出口ポート４を受容し、開位置にある。
【００２４】
図３Ｂは図３Ａのレシーバ装置２の軸‘Ａ’に関する断面図である。タンク出口ポート４はタンク出口経路２４を有しており、その中を通って液体はレシーバ装置２へ流れることができる。タンク出口ポート４は螺子溝１３によって嵌合カラー７を結合することができる。出口ポートシーリング部材２５は、例えばＯ−リングであり、出口ポート４とレシーバ装置２との間の封止を提供しうる。タンク出口ポート４はさらにプラグ部材２６を含みうる。タンク出口ポート４が嵌合カラー７を結合した場合、プラグ部材２６は第一バルブ８の軸９を押圧して、第一バルブバイアス部材１０に打ち勝つことができ、そのため、第一バルブ８は第二位置に移動し、第一バルブ経路２７が開口する。
【００２５】
第二バルブ１９は第一バルブ８にスライド可能に接続されうる。第一バルブ８が第二位置に動き始めると、第一バルブ８の第一バルブカム表面１７は第二バルブ１９の軸１８をプッシュし、第二バルブバイアス部材２１に打ち勝って、第二バルブ１９は第二位置に移動し、そして、第二バルブ経路２８が開口する。開口したとき、第一バルブ経路２７と第二バルブ経路２８とは、タンク１、第一開口１６からの液体が第二開口２３、最終的に機器３に至るように流れる、レシーバ経路２９を形成するように連通される。
【００２６】
図４Ａはレシーバ装置２の諸々の代替的な形態を示しており、レシーバ装置２は閉位置にある。図２Ａと同様、図は、嵌合カラー７、第一ハウジング６、及びベース５を示している。しかしながら対照的に、図４Ａはまた第二バルブ１９を開閉するための賦活部材３１を含んでいる。
【００２７】
図４Ｂは図４Ａのレシーバ装置２の軸‘Ａ’に関する断面図である。図面はいくつかの点で図２Ｂと類似している。他の類似点の中でも、図４Ｂのレシーバ装置２は、第一および第二位置の間を移動可能で、第一ハウジング６に包囲された第一バルブ８、第一および第二位置の間を移動可能で、第二ハウジング２０とハウジング接続部材３０とに包囲された第二バルブ１９、及び、レシーバ装置２が閉位置にあるときに液体が流れることを阻止するのを助ける、第一バルブシーリング部材１５と第二バルブシーリング部材２２を示している。また同様に、嵌合カラー７は第一ハウジング６に接続されて、タンク出口ポート４を受容するための螺子溝１３を規定しており、また、レシーバ装置２は第一開口１６と第二開口２３とを含んでいる。
【００２８】
しかしながら対照的に、図４Ｂのレシーバ装置２は、プランジャー部材３２に接続された賦活部材３１を含んでいる。賦活部材３１は、第二バルブ１９を開閉するためのプランジャー部材３２に接続されたどのような手段であってもよく、もしくはその一部であってもよい。この図では、賦活部材３１は第一ハウジング６と第二ハウジング２０との間に位置するカムである。賦活部材３１はハウジング接続部材３０の周りを回動し、第一位置と第二位置との間を動くことができる。プランジャー部材３２とそのプランジャーキャップ３３もまた第一位置と第二位置との間を移動可能であって、第一ハウジング６によって包囲されうる。プランジャーバイアス部材３４は、例えばばねであり、プランジャー部材３２と第一ハウジング６に接続し、プランジャー部材３２の第一位置と第二位置との間の動きを付勢することができる。プランジャー部材３２はまた、第二バルブ１９の軸１８に隣接するプランジャーカム表面３５を含むことができる。
【００２９】
図５Ａはレシーバ装置２の諸々の代替的な形態を示しており、図４Ａのレシーバ装置２はタンク出口ポート４を受容し、開位置にある。
【００３０】
図５Ｂは図５Ａのレシーバ装置２の軸‘Ａ’に関する断面図である。図３と同様に、この図はとりわけ、タンク出口ポート４、タンク出口経路２４、タンクシーリング部材２５、及び、それによってタンク出口ポート２６が嵌合カラー７に結合される螺子溝１３を示している。また図３Ｂと同様に、タンク出口ポート４はプラグ部材２６を含むことができ、そのため、タンク出口ポート４が嵌合カラー７を結合するとき、プラグ部材２６は第一バルブ８を第二位置に移動させ、そして、第一バルブ経路２７を開くことができる。
【００３１】
しかしながら対照的に、図５Ｂの第二バルブ１９は、第一バルブ８ではなく、プランジャー部材３２にスライド可能に接続されている。このため、タンク出口ポート４が嵌合カラー７を結合するとき、第二バルブ経路２８は閉じたままの状態で、第一バルブ経路２７が開き得る。第二バルブ経路２８を開くためには、賦活部材３１は、賦活部材３１がプランジャー部材３２をプッシュしてプランジャーバイアス部材３４に打ち勝つような何らかの方法で動かされて、そのために、プランジャー部材３２が第二位置に動く。図５Ｂでは、賦活部材３１は第一ハウジング６と第二ハウジング２０との間に位置するカムであり、賦活部材３１が、ハウジング接続部材３０に関して図４Ａでの位置から図５Ａでの位置に回動するとき、ハウジング接続部材３０はプランジャーキャップ３３とプランジャー部材３２とを押し下げる。
【００３２】
プランジャー部材３２が第二位置に動き始めるとき、プランジャー部材３２のプランジャーカム表面３５は、第二バルブ１９の軸１８を押圧し、第二バルブバイアス部材２１に打ち勝つことができ、ゆえに、第二バルブ１９はその第二位置に移動し、第二バルブ経路２８は開く。図３Ｂのタンク装置２のように、第一バルブ経路２７と第二バルブ経路２８とが開かれたとき、それらは、タンク１および第一開口１６からの液流が第二開口２３へ流れ、最終的に機器３へ液体が至るレシーバ経路２９を形成するように連通される。
【００３３】
図４Ａ〜５Ｂの諸々の形態は、第一バルブ経路２７と第二バルブ経路２８とが別の段階で開口することによって、使用者にさらなる安全性を提供することができる。例えば、レシーバ装置２がタンク出口ポート４には接続されているが機器３が接続されていない場合、液体は自動的にレシーバ経路２９を通って流れえず、手動ないし別の方法での、賦活部材のさらなる動きが要求される。
【００３４】
本発明の説明は、本発明の明確な理解のために関係する特徴を描写するために、簡略化されていることが理解されよう。当業者には、本発明を実装するためには他の部品もしくはステップが期待され、要求されることが認識できるであろう。しかしながら、そのような部品やステップは公知であり、また、それらは本発明のさらなる理解を促進するものではないので、そのような部品やステップについての論述はここに提供されない。ここでの開示は、当業者には公知であるこのような部品や方法の全てのバリエーションや改良を意図するものである。
【００３５】
明確に反対であると特定される場合を除いて、本発明には多様な代替的な配置や並び順が認められうることが理解される。また、添付の図面で図示され、本明細書で説明された特定の装置やプロセスは、単なる本発明の思想の典型的な例の形態である。一方、ここに開示された形態に関する特定の寸法や他の物理的な特徴は、請求項で明示されたものを除いて、制限して考えられるものではない。
【００３６】
さらに、当業者には多様な改変や変化が直ちに生じてくるであろうが、本発明を制限して考えることや、示され、説明された正確な構成や操作に限定されることは期待されない。さらに、全ての好適な改変や同等品は、次に記載のクレームによって規定される本発明の目的の範囲内であると認められうる。
【図１】
0005592485.tif 000002
【図２Ａ】
0005592485.tif 000003
【図２Ｂ】
0005592485.tif 000004
【図３Ａ】
0005592485.tif 000005
【図３Ｂ】
0005592485.tif 000006
【図４Ａ】
0005592485.tif 000007
【図４Ｂ】
0005592485.tif 000008
【図５Ａ】
0005592485.tif 000009
【図５Ｂ】
0005592485.tif 000010